【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】
少なくとも代替記録媒体のサイズを含む設定情報を格納する格納手段と、
印刷指示により指定されたサイズの記録媒体が使用できない場合に、該格納手段に格納された設定情報に基づいて使用する記録媒体のサイズを代替記録媒体のサイズに変更して印刷指示を実行する処理手段とを備えたことを特徴とする、画像形成装置。
【請求項２】
前記処理手段は、前前記印刷指示により指定されたサイズと前記代替記録媒体のサイズとの比率が整数比で表される場合には、印刷する１ページ分の画像データを前記比率に応じた枚数の代替記録媒体を用いて印刷を行うことを特徴とする、請求項１記載の画像形成装置。
【請求項３】
前記処理手段は、前記印刷する１ページ分の画像データを等倍で印刷することを特徴とする、請求項１又は２記載の画像形成装置。
【請求項４】
前記処理手段は、前記印刷する１ページ分の画像データを２枚の代替記録媒体に分割して印刷することを特徴とする、請求項１〜３のいずれか１項記載の画像形成装置。
【請求項５】
前記処理手段は、印刷する１ページ分の画像データを前記印刷指示により指定されたサイズと前記代替記録媒体のサイズとの比率に応じた変倍比率で代替記録媒体に印刷することを特徴とする、請求項１記載の画像形成装置。
【請求項６】
前記処理手段は、前記代替記録媒体のサイズが前記印刷指示により指定された記録媒体のサイズより小さい場合には、前記印刷する１ページ分の画像データの零点位置を固定して該代替記録媒体に印刷することを特徴とする、請求項５記載の画像形成装置。
【請求項７】
前記処理手段は、受信された画像データを前記印刷指示の実行時に前記代替記録媒体に印刷する機能を有する、複写機、ファクシミリ装置、多機能を備えた複合装置のいずれかの装置に構成されることを特徴とする、請求項１〜６のいずれか１項記載の画像形成装置。
【請求項８】
前記設定情報は、情報を印刷する際の変倍の有無及び／又は記録媒体上の印刷位置を含むことを特徴とする、請求項１〜７のいずれか１項記載の画像形成装置。
【請求項９】
外部からの設定指示に応答して前記設定情報を前記格納手段に格納する手段を更に備えたことを特徴とする、請求項１〜８のいずれか１項記載の画像形成装置。
【請求項１０】
前記印刷指示により指定されたサイズの記録媒体が使用できない、或いは、前記格納手段に対応する設定情報が格納されていない場合に、前記外部へ使用可能なサイズの記録媒体の情報と共に通知して前記設定指示を要求する手段を更に備えたことを特徴とする、請求項９記載の画像形成装置。
【請求項１１】
前記設定情報を設定して前記格納手段に格納する設定手段を更に備えたことを特徴とする、請求項１〜８のいずれか１項記載の画像形成装置。
【請求項１２】
前記設定情報は、テーブル形式で前記設定手段に格納されていることを特徴とする、請求項１〜１１のいずれか１項記載の画像形成装置。
【請求項１３】
前記処理手段は、１つの印刷ジョブ内での同一サイズの記録媒体の２枚目以降については前記設定情報を無効とすることを特徴とする、請求項１〜１２のいずれか１項記載の画像形成装置。
【請求項１４】
前記処理手段は、１つの印刷ジョブ内でスタック又はソートを行って複数部数を印刷中に１つのページの２部目以降については前記設定情報を無効とすることを特徴とする、請求項１〜１２のいずれか１項記載の画像形成装置。
【請求項１５】
前記設定情報は、ユーザ毎に前記格納手段に格納することを特徴とする、請求項１〜１４のいずれか１項記載の画像形成装置。
【請求項１６】
少なくとも代替記録媒体のサイズを含む設定情報を格納手段から読み出す読出ステップと、
印刷指示により指定されたサイズの記録媒体が使用できない場合に、該設定情報に基づいて使用する記録媒体のサイズを代替記録媒体のサイズに変更して印刷指示を実行する処理ステップとを含むことを特徴とする、画像形成方法。
【請求項１７】
前記処理ステップは、前前記印刷指示により指定されたサイズと前記代替記録媒体のサイズとの比率が整数比で表される場合には、印刷する１ページ分の画像データを前記比率に応じた枚数の代替記録媒体を用いて印刷を行うことを特徴とする、請求項１６記載の画像形成方法。
【請求項１８】
前記処理ステップは、前記印刷する１ページ分の画像データを等倍で印刷することを特徴とする、請求項１６又は１７記載の画像形成方法。
【請求項１９】
前記処理ステップは、前記印刷する１ページ分の画像データを２枚の代替記録媒体に分割して印刷することを特徴とする、請求項１６〜１８のいずれか１項記載の画像形成方法。
【請求項２０】
前記処理ステップは、印刷する１ページ分の画像データを前記印刷指示により指定されたサイズと前記代替記録媒体のサイズとの比率に応じた変倍比率で代替記録媒体に印刷することを特徴とする、請求項１６記載の画像形成方法。
【請求項２１】
前記処理ステップは、前記代替記録媒体のサイズが前記印刷指示により指定された記録媒体のサイズより小さい場合には、前記印刷する１ページ分の画像データの零点位置を固定して該代替記録媒体に印刷することを特徴とする、請求項２０記載の画像形成方法。
【請求項２２】
前記設定情報は、情報を印刷する際の変倍の有無及び／又は記録媒体上の印刷位置を含むことを特徴とする、請求項１６〜２１のいずれか１項記載の画像形成方法。
【請求項２３】
外部からの設定指示に応答して前記設定情報を前記格納手段に格納する登録ステップを更に含むことを特徴とする、請求項１６〜２２のいずれか１項記載の画像形成方法。
【請求項２４】
前記印刷指示により指定されたサイズの記録媒体が使用できない、或いは、前記格納手段に対応する設定情報が格納されていない場合に、前記外部へ使用可能なサイズの記録媒体の情報と通知して前記設定指示を要求するステップを更に含むことを特徴とする、請求項２３記載の画像形成方法。
【請求項２５】
前記設定情報を設定して前記格納手段に格納する設定ステップを更に含むことを特徴とする、請求項１６〜２２のいずれか１項記載の画像形成方法。
【請求項２６】
前記設定情報は、テーブル形式で前記設定手段に格納されていることを特徴とする、請求項１６〜２５のいずれか１項記載の画像形成方法。
【請求項２７】
前記処理ステップは、１つの印刷ジョブ内での同一サイズの記録媒体の２枚目以降については前記設定情報を無効とすることを特徴とする、請求項１６〜２６のいずれか１項記載の画像形成方法。
【請求項２８】
前記処理ステップは、１つの印刷ジョブ内でスタック又はソートを行って複数部数を印刷中に１つのページの２部目以降については前記設定情報を無効とすることを特徴とする、請求項１６〜２６のいずれか１項記載の画像形成方法。
【請求項２９】
前記設定情報は、ユーザ毎に前記格納手段に格納することを特徴とする、請求項１６〜２８のいずれか１項記載の画像形成方法。
【請求項３０】
コンピュータに、印刷指示に応答して記録媒体に対する印刷を行わせるコンピュータプログラムであって、
該コンピュータに、少なくとも代替記録媒体のサイズを含む設定情報を格納手段から読み出させる読出手順と、
該コンピュータに、前記印刷指示により指定されたサイズの記録媒体が使用できない場合に、該設定情報に基づいて使用する記録媒体のサイズを代替記録媒体のサイズに変更して印刷指示を実行させる処理手順とを含むことを特徴とする、コンピュータプログラム。
【請求項３１】
コンピュータに、記録媒体に対する印刷を指示させるコンピュータプログラムであって、
該コンピュータに、印刷指示により指定されたサイズの記録媒体が使用できない場合に使用するべき代替記録媒体のサイズを含む設定情報を登録させる登録手順を含むことを特徴とする、コンピュータプログラム。
【請求項３２】
前記コンピュータプログラムは、前記印刷指示を画像形成装置に対して出力するホスト装置内のコンピュータ、又は、前記記憶媒体に対する印刷を行う画像形成装置内のコンピュータに対するものであることを特徴とする、請求項３１記載のコンピュータプログラム。
【手続補正２】
【補正対象書類名】明細書
【補正対象項目名】００１１
【補正方法】変更
【補正の内容】
【００１１】
【課題を解決するための手段】
上記の課題は、請求項１記載の、少なくとも代替記録媒体のサイズを含む設定情報を格納する格納手段と、印刷指示により指定されたサイズの記録媒体が使用できない場合に、該格納手段に格納された設定情報に基づいて使用する記録媒体のサイズを代替記録媒体のサイズに変更して印刷指示を実行する処理手段とを備えたことを特徴とする画像形成装置によって達成できる。
請求項２記載のように、請求項１記載の画像形成装置において、前記処理手段は、前前記印刷指示により指定されたサイズと前記代替記録媒体のサイズとの比率が整数比で表される場合には、印刷する１ページ分の画像データを前記比率に応じた枚数の代替記録媒体を用いて印刷を行うようにしても良い。
請求項３記載のように、請求項１又は２記載の画像形成装置において、前記処理手段は、前記印刷する１ページ分の画像データを等倍で印刷するようにしても良い。
請求項４記載のように、請求項１〜３のいずれか１項記載の画像形成装置において、前記処理手段は、前記印刷する１ページ分の画像データを２枚の代替記録媒体に分割して印刷するようにしても良い。
請求項５記載のように、請求項１記載の画像形成装置において、前記処理手段は、印刷する１ページ分の画像データを前記印刷指示により指定されたサイズと前記代替記録媒体のサイズとの比率に応じた変倍比率で代替記録媒体に印刷するようにしても良い。
請求項６記載のように、請求項５記載の画像形成装置において、前記処理手段は、前記代替記録媒体のサイズが前記印刷指示により指定された記録媒体のサイズより小さい場合には、前記印刷する１ページ分の画像データの零点位置を固定して該代替記録媒体に印刷するようにしても良い。
請求項７記載のように、請求項１〜６のいずれか１項記載の画像形成装置において、前記処理手段は、受信された画像データを前記印刷指示の実行時に前記代替記録媒体に印刷する機能を有する、複写機、ファクシミリ装置、多機能を備えた複合装置のいずれかの装置に構成されるようにしても良い。
【手続補正３】
【補正対象書類名】明細書
【補正対象項目名】００１２
【補正方法】変更
【補正の内容】
【００１２】
請求項８記載のように、請求項１〜７のいずれか１項記載の画像形成装置において、前記設定情報は、情報を印刷する際の変倍の有無及び／又は記録媒体上の印刷位置を含んでも良い。
【手続補正４】
【補正対象書類名】明細書
【補正対象項目名】００１３
【補正方法】変更
【補正の内容】
【００１３】
請求項９記載のように、請求項１〜８のいずれか１項記載の画像形成装置は、外部からの設定指示に応答して前記設定情報を前記格納手段に格納する手段を更に備えた構成としても良い。
【手続補正５】
【補正対象書類名】明細書
【補正対象項目名】００１４
【補正方法】変更
【補正の内容】
【００１４】
請求項１０記載のように、請求項９記載の画像形成装置は、前記印刷指示により指定されたサイズの記録媒体が使用できない、或いは、前記格納手段に対応する設定情報が格納されていない場合に、前記外部へ使用可能なサイズの記録媒体の情報と共に通知して前記設定指示を要求する手段を更に備えた構成としても良い。
【手続補正６】
【補正対象書類名】明細書
【補正対象項目名】００１５
【補正方法】変更
【補正の内容】
【００１５】
請求項１１記載のように、請求項１〜８のいずれか１項記載の画像形成装置は、前記設定情報を設定して前記格納手段に格納する設定手段を更に備えた構成としても良い。
【手続補正７】
【補正対象書類名】明細書
【補正対象項目名】００１６
【補正方法】変更
【補正の内容】
【００１６】
請求項１２記載のように、請求項１〜１１のいずれか１項記載の画像形成装置において、前記設定情報は、テーブル形式で前記設定手段に格納されていても良い。
【手続補正８】
【補正対象書類名】明細書
【補正対象項目名】００１７
【補正方法】変更
【補正の内容】
【００１７】
請求項１３記載のように、請求項１〜１２のいずれか１項記載の画像形成装置において、前記処理手段は、１つの印刷ジョブ内での同一サイズの記録媒体の２枚目以降については前記設定情報を無効とするようにしても良い。
【手続補正９】
【補正対象書類名】明細書
【補正対象項目名】００１８
【補正方法】変更
【補正の内容】
【００１８】
請求項１４記載のように、請求項１〜１２のいずれか１項記載の画像形成装置において、前記処理手段は、１つの印刷ジョブ内でスタック又はソートを行って複数部数を印刷中に１つのページの２部目以降については前記設定情報を無効とするようにしても良い。
【手続補正１０】
【補正対象書類名】明細書
【補正対象項目名】００１９
【補正方法】変更
【補正の内容】
【００１９】
請求項１５記載のように、請求項１〜１４のいずれか１項記載の画像形成装置において、前記設定情報は、ユーザ毎に前記格納手段に格納しても良い。。
【手続補正１１】
【補正対象書類名】明細書
【補正対象項目名】００２０
【補正方法】変更
【補正の内容】
【００２０】
上記の課題は、請求項１６記載の、少なくとも代替記録媒体のサイズを含む設定情報を格納手段から読み出す読出ステップと、印刷指示により指定されたサイズの記録媒体が使用できない場合に、該設定情報に基づいて使用する記録媒体のサイズを代替記録媒体のサイズに変更して印刷指示を実行する処理ステップとを含むことを特徴とする画像形成方法によっても達成できる。
請求項１７記載のように、請求項１６記載の画像形成方法において、前記処理ステップは、前前記印刷指示により指定されたサイズと前記代替記録媒体のサイズとの比率が整数比で表される場合には、印刷する１ページ分の画像データを前記比率に応じた枚数の代替記録媒体を用いて印刷を行うようにしても良い。
請求項１８記載のように、請求項１６又は１７記載の画像形成方法において、前記処理ステップは、前記印刷する１ページ分の画像データを等倍で印刷するようにしても良い。
請求項１９記載のように、請求項１６〜１８のいずれか１項記載の画像形成方法において、前記処理ステップは、前記印刷する１ページ分の画像データを２枚の代替記録媒体に分割して印刷するようにしても良い。
請求項２０記載のように、請求項１６記載の画像形成方法において、前記処理ステップは、印刷する１ページ分の画像データを前記印刷指示により指定されたサイズと前記代替記録媒体のサイズとの比率に応じた変倍比率で代替記録媒体に印刷するようにしても良い。
請求項２１記載のように、請求項２０記載の画像形成方法において、前記処理ステップは、前記代替記録媒体のサイズが前記印刷指示により指定された記録媒体のサイズより小さい場合には、前記印刷する１ページ分の画像データの零点位置を固定して該代替記録媒体に印刷するようにしても良い。
【手続補正１２】
【補正対象書類名】明細書
【補正対象項目名】００２１
【補正方法】変更
【補正の内容】
【００２１】
請求項２２記載のように、請求項１６〜２１のいずれか１項記載の画像形成方法において、前記設定情報は、情報を印刷する際の変倍の有無及び／又は記録媒体上の印刷位置を含んでも良い。
【手続補正１３】
【補正対象書類名】明細書
【補正対象項目名】００２２
【補正方法】変更
【補正の内容】
【００２２】
請求項２３記載のように、請求項１６〜２２のいずれか１項記載の画像形成方法は、外部からの設定指示に応答して前記設定情報を前記格納手段に格納する登録ステップを更に含んでも良い。
【手続補正１４】
【補正対象書類名】明細書
【補正対象項目名】００２３
【補正方法】変更
【補正の内容】
【００２３】
請求項２４記載のように、請求項２３記載の画像形成方法は、前記印刷指示により指定されたサイズの記録媒体が使用できない、或いは、前記格納手段に対応する設定情報が格納されていない場合に、前記外部へ使用可能なサイズの記録媒体の情報と共に通知して前記設定指示を要求するステップを更に含んでも良い。
【手続補正１５】
【補正対象書類名】明細書
【補正対象項目名】００２４
【補正方法】変更
【補正の内容】
【００２４】
請求項２５記載のように、請求項１６〜２２のいずれか１項記載の画像形成方法は、前記設定情報を設定して前記格納手段に格納する設定ステップを更に含んでも良い。
【手続補正１６】
【補正対象書類名】明細書
【補正対象項目名】００２５
【補正方法】変更
【補正の内容】
【００２５】
請求項２６記載のように、請求項１６〜２５のいずれか１項記載の画像形成方法において、前記設定情報は、テーブル形式で前記設定手段に格納されていても良い。
【手続補正１７】
【補正対象書類名】明細書
【補正対象項目名】００２６
【補正方法】変更
【補正の内容】
【００２６】
請求項２７記載のように、請求項１６〜２６のいずれか１項記載の画像形成方法において、前記処理ステップは、１つの印刷ジョブ内での同一サイズの記録媒体の２枚目以降については前記設定情報を無効とするようにしても良い。
【手続補正１８】
【補正対象書類名】明細書
【補正対象項目名】００２７
【補正方法】変更
【補正の内容】
【００２７】
請求項２８記載のように、請求項１６〜２６のいずれか１項記載の画像形成方法において、前記処理ステップは、１つの印刷ジョブ内でスタック又はソートを行って複数部数を印刷中に１つのページの２部目以降については前記設定情報を無効とするようにしても良い。
【手続補正１９】
【補正対象書類名】明細書
【補正対象項目名】００２８
【補正方法】変更
【補正の内容】
【００２８】
請求項２９記載のように、請求項１６〜２８のいずれか１項記載の画像形成方法において、前記設定情報は、ユーザ毎に前記格納手段に格納しても良い。
【手続補正２０】
【補正対象書類名】明細書
【補正対象項目名】００２９
【補正方法】変更
【補正の内容】
【００２９】
上記の課題は、請求項３０記載の、コンピュータに、印刷指示に応答して記録媒体に対する印刷を行わせるコンピュータプログラムであって、コンピュータに、少なくとも代替記録媒体のサイズを含む設定情報を格納手段から読み出させる読出手順と、コンピュータに、前記印刷指示により指定されたサイズの記録媒体が使用できない場合に、該設定情報に基づいて使用する記録媒体のサイズを代替記録媒体のサイズに変更して印刷指示を実行させる処理手順とを含むことを特徴とするコンピュータプログラムによっても達成できる。
【手続補正２１】
【補正対象書類名】明細書
【補正対象項目名】００３０
【補正方法】変更
【補正の内容】
【００３０】
上記の課題は、請求項３１記載の、コンピュータに、記録媒体に対する印刷を指示させるコンピュータプログラムであって、コンピュータに、印刷指示により指定されたサイズの記録媒体が使用できない場合に使用するべき代替記録媒体のサイズを含む設定情報を登録させる登録手順を含むことを特徴とするコンピュータプログラムによっても達成できる。
【手続補正２２】
【補正対象書類名】明細書
【補正対象項目名】００３１
【補正方法】変更
【補正の内容】
【００３１】
請求項３２記載のように、請求項３１記載のコンピュータプログラムは、前記印刷指示を画像形成装置に対して出力するホスト装置内のコンピュータ、又は、前記記憶媒体に対する印刷を行う画像形成装置内のコンピュータに対するものであっても良い。
【手続補正２３】
【補正対象書類名】明細書
【補正対象項目名】００８９
【補正方法】変更
【補正の内容】
【００８９】
請求項１，７，１６，３０記載の発明によれば、指定されたサイズの記録媒体が使用できない場合でも、ユーザが意識することなく代替記録媒体に対して印刷を行うことができ、印刷を効率良く行うことができる。
請求項２〜６，１７〜２１記載の発明によれば、代替記録媒体に合わせた画像データの印刷が可能となる。
【手続補正２４】
【補正対象書類名】明細書
【補正対象項目名】００９０
【補正方法】変更
【補正の内容】
【００９０】
請求項８，２２記載の発明によれば、代替記録媒体を使用する場合の条件を予め任意に設定しておくことができる。
【手続補正２５】
【補正対象書類名】明細書
【補正対象項目名】００９１
【補正方法】変更
【補正の内容】
【００９１】
請求項９，２３記載の発明によれば、外部のホスト装置等から設定情報を登録することができる。
【手続補正２６】
【補正対象書類名】明細書
【補正対象項目名】００９２
【補正方法】変更
【補正の内容】
【００９２】
請求項１０，２４記載の発明によれば、代替記録媒体の指定が必要となった際に自動的に外部のホスト装置等に指定を求めるので、ユーザが意識することなく代替記録媒体等の設定情報を新規に登録したり更新したりすることができる。
【手続補正２７】
【補正対象書類名】明細書
【補正対象項目名】００９３
【補正方法】変更
【補正の内容】
【００９３】
請求項１１，２５記載の発明によれば、画像形成装置において設定情報を登録することができる。
【手続補正２８】
【補正対象書類名】明細書
【補正対象項目名】００９４
【補正方法】変更
【補正の内容】
【００９４】
請求項１２，２６記載の発明によれば、設定情報をアクセスが容易なテーブル形式で登録することができる。
【手続補正２９】
【補正対象書類名】明細書
【補正対象項目名】００９５
【補正方法】変更
【補正の内容】
【００９５】
請求項１３，１４，２７，２８記載の発明によれば、１つの印刷ジョブ内で、指定用紙サイズが途中から代替用紙サイズに代わってしまう不都合を防止することができる。
【手続補正３０】
【補正対象書類名】明細書
【補正対象項目名】００９６
【補正方法】変更
【補正の内容】
【００９６】
請求項１５，２９記載の発明によれば、設定情報をユーザ毎に登録できるので、複数のユーザからの印刷要求に対して効率良く印刷処理を行うことができる。
【手続補正３１】
【補正対象書類名】明細書
【補正対象項目名】００９７
【補正方法】変更
【補正の内容】
【００９７】
請求項３１記載の発明によれば、指定されたサイズの記録媒体が使用できない場合でも、ユーザが意識することなく代替記録媒体に対して印刷を行うことができ、印刷を効率良く行うことができるようにする設定情報を登録することができる。
【手続補正３２】
【補正対象書類名】明細書
【補正対象項目名】００９８
【補正方法】変更
【補正の内容】
【００９８】
請求項３２記載の発明によれば、設定情報の登録を、画像形成装置側又はホスト装置側から行うことができる。